(57)【要約】【課題】簡単な構成で部品点数を増やすことなく付属部品を固定収納できる電気掃除機の梱包装置を提供することを課題とする。【解決手段】掃除機本体３、蛇腹ホース１８、延長管１９、床用吸込具１４、隙間用アタッチメント９を、複数の緩衝体４、５、１６を介して梱包箱１に収納する電気掃除機の梱包装置において、梱包箱１の一側面に形成される手挿入用切込部２に対応する緩衝体４に形成される手掛凹部７の補強となる一対の壁８、８と、緩衝体４上に配置収納されるホース１８との間で隙間用アタッチメント９を保持収納する。【選択図】　　　　　図２
2004115063.tif 000002
【特許請求の範囲】
【請求項１】
梱包箱と、該梱包箱に緩衝体を介して収納される掃除機本体、該掃除機本体に着脱自在に接続されるホース及び延長管、前記ホースまたは延長管に選択的に接続される床用吸込具及びアタッチメントと、前記梱包箱の一側面に形成される手挿入用切込部と、該手挿入用切込部に対応する緩衝体に形成される手掛凹部と、該緩衝体に一体形成されて手掛凹部の補強となる一対の壁とを備え、前記一対の壁間にアタッチメントの収納部を形成するとともに、前記アタッチメントを、前記収納部とその他の付属部品とにより保持収納したことを特徴とする電気掃除機の梱包装置。
【請求項２】
前記アタッチメントを、前記収納部とホースとにより保持収納したことを特徴とする請求項１に記載の電気掃除機の梱包装置。
【発明の詳細な説明】
【０００１】
【発明の属する技術分野】
本発明は、電気掃除機の梱包装置に係り、特にその付属部品の収納に関する。
【０００２】
【従来の技術】
従来、掃除機本体に蛇腹ホース、延長管、床用吸込具等を接続して使用するキャニスター型の電気掃除機の梱包装置として、掃除機本体、蛇腹ホース、延長管、床用吸込具を接続しない状態で、掃除機本体を下緩衝体を介して梱包箱に収納するとともに、掃除機本体上に上緩衝体を載置し、上緩衝体の周囲に蛇腹ホースや延長管、及び床用吸込具を配置して梱包したものが知られている（例えば、特許文献１参照）。
【０００３】
そして、電気掃除機には、床用吸込具を取り外して延長管に取り付けられる隙間用アタッチメントが付属部品として同梱されるのが一般的であるが、この隙間用アタッチメントは、上記梱包物と緩衝体との隙間に、比較的無造作に収納されているため、梱包装置の移送中に振動によりがたつき、掃除機本体等に衝突することが考えられ、著しい場合にはキズをつける等の問題が生じるおそれがあった。
【０００４】
【特許文献１】
特開平１１−１０５９３６号公報（第１図）
【０００５】
【発明が解決しようとする課題】
本発明は、上記欠点に鑑みなされたもので、簡単な構成で部品点数を増やすことなく付属部品を固定収納できる電気掃除機の梱包装置を提供することを課題とする。
【０００６】
【課題を解決するための手段】
本発明は、梱包箱と、該梱包箱に緩衝体を介して収納される掃除機本体、該掃除機本体に着脱自在に接続されるホース及び延長管、前記ホースまたは延長管に選択的に接続される床用吸込具及びアタッチメントと、前記梱包箱の一側面に形成される手挿入用切込部と、該手挿入用切込部に対応する緩衝体に形成される手掛凹部と、該緩衝体に一体形成されて手掛凹部の補強となる一対の壁とを備え、前記一対の壁間にアタッチメントの収納部を形成するとともに、前記アタッチメントを、前記収納部とその他の付属部品とにより保持収納したことを特徴とする。
【０００７】
前記アタッチメントを、前記収納部とホースとにより保持収納してもよい。
【０００８】
【発明の実施の形態】
本発明の実施の形態を図面に基づいて以下に説明する。
【０００９】
１は段ボール材製の梱包箱で、梱包物である後述の掃除機本体３、蛇腹ホース１８、延長管１９、床用吸込具１４及び隙間用アタッチメント９を収納するようになっている。
【００１０】
２は前記梱包箱１の一側面の、後述する前方下部緩衝体４の手掛凹部７に対応する位置に形成される手挿入用切込部で、該手挿入用切込部２にて梱包箱１の一部を内側に折り曲げることにより手を挿入することができ、梱包装置の移送時の作業性を向上できるようになっている。
【００１１】
３は掃除機本体で、該掃除機本体３の前方下部を発泡材製の前方下部緩衝体４、掃除機本体３の後方下部を発泡材製の後方下部緩衝体５により支持した状態で前記梱包箱１に収納されるようになっている。
【００１２】
前記前方下部緩衝体４には、前記掃除機本体３の前面から下面にわたって掃除機本体３を支持する支持部６と、前記梱包箱１に収納した状態で梱包箱１の手挿入用切込部２に一致する位置に形成される手掛凹部７が形成されている。
【００１３】
８は前記前方下部緩衝体４の手掛凹部７の両側に立設される一対の阻止壁で、該阻止壁８、８により前記手掛凹部７の強度を向上するようになっているとともに、該阻止壁８、８間の寸法は、付属部品である隙間用アタッチメント９の長さ寸法と略同一寸法に形成されている。
【００１４】
１０は前記前方下部緩衝体４の阻止壁８、８間に形成され、該阻止壁８、８間の空間部を前記手掛凹部７側と掃除機本体３側とに区画する区画壁で、該区画壁１０と阻止壁８、８及び掃除機本体３との間に前記隙間用アタッチメント９の収納部１１を構成するようになっている。
【００１５】
１２は前記阻止壁８、８の上端の梱包箱１側に形成された規制壁で、後述する蛇腹ホース１８を前方下部緩衝体４及び後方下部緩衝体５上に載置した際に、蛇腹ホース１８の移動を規制し、蛇腹ホース１８が前記隙間用アタッチメント９の収納部１１上に配置されるようになっており、該蛇腹ホース１８により隙間用アタッチメント９の上方向への移動が阻止されるようになっている。
【００１６】
前記後方下部緩衝体５には、前記掃除機本体３の後面から下面にわたって掃除機本体３を支持する支持部１３と、床用吸込具１４を収納する吸込具収納凹部１５が形成されている。
【００１７】
１６は前記掃除機本体３上部に載置される発泡材製の上部緩衝体で、該上部緩衝体１６の後方下部には、前記掃除機本体３の後面形状に一致する後面支持部１７が形成されており、該後面支持部１７により上部緩衝体１６の位置決めを行うとともに、前記後方下部緩衝体５の吸込具収納凹部１５に収納される床用吸込具１４が掃除機本体３後面に衝突するのを防止して、梱包装置の移送中の掃除機本体３の傷つきを防止するようになっている。
【００１８】
１８は蛇腹ホースで、前記前方下部緩衝体４及び後方下部緩衝体５上に掃除機本体３を載置するとともに、掃除機本体３上に上部緩衝体１６を載置した状態で、該蛇腹ホース１８が湾曲させた状態で配置されるとともに、前記上部緩衝体１６と梱包箱１との間に延長管１９、１９が配置される。
【００１９】
上記構成によると、梱包する際は、梱包箱１に前方下部緩衝体４及び後方下部緩衝体５を挿入し、掃除機本体３を載置するとともに、掃除機本体３上に上部緩衝体１６を載置する。
【００２０】
そして、前方下部緩衝体４の収納部１１に隙間用アタッチメント９を配置するとともに、後方下部緩衝体５の収納部１５に床用吸込具１４を収納する。
【００２１】
さらに、前方下部緩衝体４及び掃除機本体３上に蛇腹ホース１８を曲げた状態で載置するとともに、延長管１９、１９を配置し、梱包を完了する。
【００２２】
隙間用アタッチメント９は、前方下部緩衝体４の阻止壁８、８、区画壁１０、及び掃除機本体３の間でほぼがたつきなく収納されるとともに、前方下部緩衝体４の阻止壁８、８上に配置される蛇腹ホース１８により隙間用アタッチメント９の上方への移動が規制され、梱包装置の移送中に隙間用アタッチメント９ががたついて掃除機本体３等にキズを付けることがない。
【００２３】
また、隙間用アタッチメント９の移動規制として、前方下部緩衝体４の手掛凹部７の補強である阻止壁８、８、蛇腹ホース１８及び掃除機本体３を利用しているため、部品点数を増やすことなく隙間用アタッチメント９を固定収納でき、コストを抑えることができる。
【００２４】
尚、本実施の形態では、隙間用アタッチメント９の上方への移動を蛇腹ホース１８にて規制するよう構成したが、その他の付属部品、即ち、延長管１９もしくは床用吸込具１４にて隙間用アタッチメント９を保持するよう構成してもよい。
【００２５】
【発明の効果】
本発明によると、アタッチメントは、緩衝体の補強用の壁とホースとにより保持されるため、部品点数を増やすことなく梱包装置の移送中のアタッチメントのガタツキを防止でき、掃除機本体等にキズを付けるのを防止できる。
【図面の簡単な説明】
【図１】本発明の梱包装置の平面図である。
【図２】同断面図である。
【符号の説明】
１　　　　　梱包箱
２　　　　　手挿入用切込部
３　　　　　掃除機本体
４　　　　　前方下部緩衝体（緩衝体）
５　　　　　後方下部緩衝体（緩衝体）
７　　　　　手掛凹部
８　　　　　阻止壁（壁）
９　　　　　隙間用アタッチメント（アタッチメント）
１１　　　　収納部
１４　　　　床用吸込具（付属部品）
１６　　　　上部緩衝体（緩衝体）
１８　　　　ホース（付属部品）
１９　　　　延長管（付属部品）
【図１】
2004115063.tif 000003
【図２】
2004115063.tif 000004